(57)【要約】【課題】グループ通信ネットワークにおいてユーザ情報を共有する方法及び装置【解決手段】開示した実施例は無線通信ネットワークにおいて出席情報、及び／あるいは位置情報を検出又は告知する方法と装置とを提供する。ある側面では、無線通信ネットワークにおいてユーザ情報を共有する方法は、発起人から対象者へ警報を送信する、前記警報は、前記発起人に関する情報を含み、前記対象者に関する情報を要求する、前記警報に応答して前記対象者からの情報を前記発起人により受信する、前記受信した情報に基づいて、前記対象者に関する前記発起人内の情報を更新する、ことを含む。別の側面では、少なくとも１対象者ユーザに関する情報を要求する発起人からの少なくとも１の警報を送信する、前記警報に応答して情報を前記発起人により受信する、受信した情報に基づいて、前記対象者ユーザに関する情報を前記発起人により更新する、ことを含む方法である。【選択図】図４Ａ
2007525112.tif 000002
【特許請求の範囲】
【請求項１】
発起人から対象者へ警報を送信する、前記警報は、前記発起人に関する情報を含み、前記対象者に関する情報を要求する、
前記警報に応答して前記対象者からの情報を前記発起人により受信する、
前記受信した情報に基づいて、前記対象者に関する前記発起人内の情報を更新する、
ことを備える、無線通信ネットワークにおいてユーザ情報を共有する方法。
【請求項２】
前記送信することは対象者のグループにグループ警報を送信することを含み、前記受信することは前記対象者のグループから情報を受信することを含み、前記更新することは前記対象者のグループに関する情報を更新することを含む、請求項１に記載の方法。
【請求項３】
さらに、前記発起人から受信した情報に基づいて、少なくとも１の対象者内の情報を更新することを含む、請求項２に記載の方法。
【請求項４】
さらに、前記グループの少なくとも１の別の対象者から受信した情報に基づいて、少なくとも１の対象者内の情報を更新することを含む、請求項２に記載の方法。
【請求項５】
前記情報は出席情報を含む、請求項１に記載の方法。
【請求項６】
前記情報は位置情報を含む、請求項１に記載の方法。
【請求項７】
発起人から対象者へ警報を送信する、前記警報は前記発起人に関する情報を含み、前記対象者に関する情報を要求する、
前記警報に応答して前記対象者からの情報を前記発起人により受信する、
前記受信した情報に基づいて、前記対象者に関する前記発起人内の情報を更新する、
ことを備える、無線通信ネットワークにおいてユーザ情報を共有する方法を実現するためのコードを体現した計算機読み取り可能な媒体。
【請求項８】
前記送信することは対象者のグループにグループ警報を送信することを含み、前記受信することは前記対象者のグループから情報を受信することを含み、前記更新することは前記対象者のグループに関する情報を更新することを含む、請求項７に記載の媒体。
【請求項９】
前記方法はさらに、前記発起人から受信した情報に基づいて、少なくとも１の対象者内の情報を更新することを含む請求項８に記載の媒体。
【請求項１０】
前記方法はさらに、前記グループの少なくとも１の別の対象者から受信した情報に基づいて、少なくとも１の対象者内の情報を更新することを含む請求項８に記載の媒体。
【請求項１１】
前記情報は出席情報を含む、請求項７に記載の媒体。
【請求項１２】
前記情報は位置情報を含む、請求項７に記載の媒体。
【請求項１３】
発起人から対象者へ警報を送信するための手段と、前記警報は、前記発起人に関する情報を含み、前記対象者に関する情報を要求する、
前記警報に応答して前記対象者からの情報を前記発起人により受信するための手段と、
前記受信した情報に基づいて、前記対象者に関する前記発起人内の情報を更新するための手段と、
を備える、
無線通信ネットワークにおいてユーザ情報を共有するための装置。
【請求項１４】
前記送信するための手段は、対象者のグループにグループ警報を送信するための手段を含み、前記受信するための手段は、前記対象者のグループから情報を受信するための手段を含み、前記更新するための手段は、前記対象者のグループに関する情報を更新するための手段を含む、請求項１３に記載の装置。
【請求項１５】
さらに、前記発起人から受信した情報に基づいて、少なくとも１の対象者内の情報を更新するための手段を含む請求項１４に記載の装置。
【請求項１６】
さらに、前記グループの少なくとも１の別の対象者から受信した情報に基づいて、少なくとも１の対象者内の情報を更新するための手段を含む請求項１４に記載の装置。
【請求項１７】
前記情報は出席情報を含む、請求項１３に記載の装置。
【請求項１８】
前記情報は位置情報を含む、請求項１３に記載の装置。
【請求項１９】
メモリユニットと、
受信器と、
送信器と、
前記メモリユニットと、前記受信器と、前記送信器とに連結されたプロセッサと、
を備える無線通信ネットワークにおいてユーザ情報を共有する装置であって、
前記プロセッサは、
発起人から対象者へ警報を送信する、前記警報は前記発起人に関する情報を含み、前記対象者に関する情報を要求する、
前記警報に応答して前記対象者からの情報を前記発起人により受信する、
前記受信した情報に基づいて、前記対象者に関する前記発起人内の情報を更新する、
ことが可能な装置。
【請求項２０】
前記送信することは対象者のグループにグループ警報を送信することを含み、前記受信することは前記対象者のグループから情報を受信することを含み、前記更新することは前記対象者のグループに関する情報を更新することを含む、請求項１に記載の装置。
【請求項２１】
前記プロセッサは、さらに前記発起人から受信した情報に基づいて、少なくとも１の対象者内の情報を更新することを含むことができる、請求項２０に記載の装置。
【請求項２２】
前記プロセッサは、さらに前記グループの少なくとも１の別の対象者から受信した情報に基づいて、少なくとも１の対象者内の情報を更新することを含むことができる、請求項２０に記載の装置。
【請求項２３】
前記情報は出席情報を含む、請求項１９に記載の装置。
【請求項２４】
前記情報は位置情報を含む、請求項１９に記載の装置。
【請求項２５】
少なくとも１対象者ユーザに関する情報を要求する発起人からの少なくとも１の警報を送信する、
前記警報に応答して情報を前記発起人により受信する、
受信した情報に基づいて、前記対象者ユーザに関する情報を前記発起人により更新する、
ことを備える、無線通信ネットワークにおいてユーザ情報を共有する方法。
【請求項２６】
前記要求することは、対象者ユーザのグループに関する情報を要求することを含み、前記受信することは、前記グループが能動的であるか受動的であるかについての情報を受信することを含む、請求項２５に記載の方法。
【請求項２７】
前記要求することは、対象者ユーザのグループに関する情報を要求することを含み、前記受信することは、前記グループ内のどの対象者ユーザが登録されているかについての情報を受信することを含む、請求項２５に記載の方法。
【請求項２８】
前記要求することは、対象者ユーザのグループに関する情報を要求することを含み、前記受信することは、どの対象者ユーザが現在の通信セッションに出席しているかについての情報を受信することを含む、請求項２５に記載の方法。
【請求項２９】
前記要求することは、対象者ユーザのグループに関する情報を要求することを含み、前記受信することは、前記対象者ユーザに関する位置情報を受信することを含む、請求項２５に記載の方法。
【請求項３０】
少なくとも１対象者ユーザに関する情報を要求する発起人からの少なくとも１の警報を送信する、
前記警報に応答して情報を前記発起人により受信する、
受信した情報に基づいて、前記対象者ユーザに関する情報を前記発起人により更新する、
ことを備える、無線通信ネットワークにおいてユーザ情報を共有する方法を実現するためのコードを体現した計算機読み取り可能な媒体。
【請求項３１】
前記要求することは、対象者ユーザのグループに関する情報を要求することを含み、前記受信することは、前記グループが能動的であるか受動的であるかについての情報を受信することを含む、請求項３０に記載の媒体。
【請求項３２】
前記要求することは、対象者ユーザのグループに関する情報を要求することを含み、前記受信することは、前記グループ内のどの対象者ユーザが登録されているかについての情報を受信することを含む、請求項３０に記載の媒体。
【請求項３３】
前記要求することは、対象者ユーザのグループに関する情報を要求することを含み、前記受信することは、どの対象者ユーザが現在の通信セッションに出席しているかについての情報を受信することを含む、請求項３０に記載の媒体。
【請求項３４】
前記要求することは、対象者ユーザのグループに関する情報を要求することを含み、前記受信することは、前記対象者ユーザに関する位置情報を受信することを含む、請求項３０に記載の媒体。
【請求項３５】
発起人から少なくとも１の対象者ユーザに関する情報を要求する少なくとも１の警報を送信するための手段と、
前記警報に応答して情報を前記発起人により受信するための手段と、
前記受信した情報に基づいて、前記対象者ユーザに関する情報を前記発起人により更新するための手段と、
を備える、無線通信ネットワークにおいてユーザ情報を共有するための装置。
【請求項３６】
前記要求するための手段は、対象者ユーザのグループに関する情報を要求するための手段を含み、前記受信するための手段は、前記グループが能動的であるか受動的であるかについての情報を受信するための手段を含む、請求項３５に記載の装置。
【請求項３７】
前記要求するための手段は、対象者ユーザのグループに関する情報を要求するための手段を含み、前記受信するための手段は、前記グループ内のどの対象者ユーザが登録されているかについての情報を受信することを含む、請求項３５に記載の装置。
【請求項３８】
前記要求するための手段は、対象者ユーザのグループに関する情報を要求するための手段を含み、前記受信するための手段は、どの対象者ユーザが現在の通信セッションに出席しているかについての情報を受信するための手段を含む、請求項３５に記載の装置。
【請求項３９】
前記要求するための手段は、対象者ユーザのグループに関する情報を要求するための手段を含み、前記受信するための手段は、前記対象者ユーザに関する位置情報を受信するための手段を含む、請求項２５に記載の装置。
【請求項４０】
メモリユニットと、
受信器と、
送信器と、
前記メモリユニットと、前記受信器と、前記送信器とに連結されたプロセッサと、
を備える無線通信ネットワーク内でユーザ情報を共有する装置であって、
前記プロセッサは、
少なくとも１対象者ユーザに関する情報を要求する発起人からの少なくとも１の警報を送信する、
前記警報に応答して情報を前記発起人により受信する、
受信した情報に基づいて、前記対象者ユーザに関する情報を前記発起人により更新する、
ことが可能な装置。
【請求項４１】
前記要求することは、対象者ユーザのグループに関する情報を要求することを含み、前記受信することは、前記グループが能動的であるか受動的であるかについての情報を受信することを含む、請求項４０に記載の装置。
【請求項４２】
前記要求することは、対象者ユーザのグループに関する情報を要求することを含み、前記受信することは、前記グループ内のどの対象者ユーザが登録されているかについての情報を受信することを含む、請求項４０に記載の装置。
【請求項４３】
前記要求することは、対象者ユーザのグループに関する情報を要求することを含み、前記受信することは、どの対象者ユーザが現在の通信セッションに出席しているかについての情報を受信することを含む、請求項４０に記載の装置。
【請求項４４】
前記要求することは、対象者ユーザのグループに関する情報を要求することを含み、前記受信することは、前記対象者ユーザに関する位置情報を受信することを含む、請求項４０に記載の装置。
【発明の詳細な説明】
【技術分野】
【０００１】
本発明は１対１通信システムあるいは１対多通信システムに関する。より詳細には、本発明はグループ無線通信ネットワークにおいてユーザの出席（ｐｒｅｓｅｎｃｅ）情報、及び／あるいは、ユーザの位置（ｌｏｃａｔｉｏｎ）情報の、検出、共有、及び／あるいは、告知のための方法及び装置に関する。
【背景技術】
【０００２】
素早く、効率的な１対１通信あるいは１対多（グループ）通信に向けられた無線サービスのクラスは長年の間様々な形式で存在してきた。一般的に、これらのサービスは半−二重であり、そこでは、グループ通信を開始するにはユーザは電話あるいはラジオの“通話”（ＰＴＴ）ボタンを押す。発言が認められた場合、話者は一般には数秒間話す。話者がＰＴＴボタンを離した後、利用可能な他のユーザが発言権を要求することができる。これらのサービスは伝統的に、グループ通信サービスとして知られる、例えば、フィールドサービス社員（ｆｉｅｌｄ  ｓｅｒｖｉｃｅ  ｐｅｒｓｏｎｎｅｌ）やタクシードライバーのような、ある人間が人間のグループと通信する必要があるようなアプリケーションにおいて使用されてきた。
【０００３】
したがって、ユーザあるいはユーザのグループが、他のユーザあるいは他のユーザのグループに対しユーザの出席情報、及び／あるいは、ユーザの位置情報のような情報を効率的に検出あるいは告知できるようにする仕組みが必要である。
【発明の開示】
【０００４】
〔発明の概要〕
開示する実施形態は、無線通信ネットワークにおいてユーザの出席情報、及び／あるいは、ユーザの位置情報を検出、及び／あるいは、告知するための、新規で進歩的な方法と装置とを提供する。第１の側面では、無線通信ネットワークにおいてユーザ情報を共有する方法は、発起人（ｏｒｉｇｉｎａｔｏｒ）から対象者（ｔａｒｇｅｔ）へ警報（ａｌｅｒｔ）を送信する、前記警報は、前記発起人に関する情報を含み、前記対象者に関する情報を要求する、前記警報に応答して前記対象者からの情報を前記発起人により受信し、前記受信した情報に基づいて、前記対象者に関する前記発起人内の情報を更新する、ことを含む。
【０００５】
別の側面では、前記方法は少なくとも１対象者ユーザに関する情報を要求する発起人からの少なくとも１の警報を送信し、前記警報に応答して情報を前記発起人により受信し、受信した情報に基づいて、前記対象者ユーザに関する情報を前記発起人により更新する、ことを含む。
【０００６】
もうひとつの側面では、無線通信ネットワークにおいてユーザ情報を共有するための装置が、メモリユニットと、受信器と、送信器と、前記メモリユニットと前記受信器と前記送信器と通信可能に（ｃｏｍｍｕｎｉｃａｔｉｖｅｌｙ）接続されたプロセッサとを含む。前記プロセッサは上述の方法を実行することができる。
【発明の詳細な説明】
【０００７】
本発明の特徴と利点とは、以下に明らかにする実施形態の詳細な記述から、より明白となろう。
【０００８】
詳細にいくつかの実施形態を説明する前に、本発明の範囲が以下の記載において述べられたあるいは図に図解された、構造の詳細とコンポーネントの配置とに制限されるべきでないことが理解されるべきである。さらに、本明細書で使用されている表現と用語法とが、説明の目的であり、制限的にみなされるべきではないことが理解されるべきである。
【０００９】
図１は、１実施形態を実現する、グループ通信システム１００の機能ブロック図を図解する。グループ通信システム１００は、通話（ｐｕｓｈ−ｔｏ−ｔａｌｋ、ＰＴＴ）システム、ネットブロードキャストシステム（ＮＢＳ）、ディスパッチシステム、あるいは１対多通信システムとしても知られる。ある実施形態では、グループ通信システム１００は、集中化された配置（ｄｅｐｌｏｙｍｅｎｔ）あるいは地域化（ｒｅｇｉｏｎａｌｉｚｅｄ）された配置のうち、一方の可能性のあるグループ通信サーバ（ＧＣＳ）１０２を含む。グループ通信サーバ１０２は、１あるいは２以上のプロセッサと、１あるいは２以上のメモリユニットと、入出力ハードウェアと、例えばＩＰメディア通信のような様々なメディア通信用のソフトウェアモジュールとを含む技術（ｔｈｅ  ａｒｔ）として知られるように、実現される可能性がある。
【００１０】
例えばＣＤＭＡ（例：ｃｄｍａ２０００）ハンドセットのようなものが配置されている可能性のあるグループ通信デバイス（ＣＤ）１０４と１０６とは、データサービスオプションを使用してパケットデータセッションを要求する可能性がある。各ＣＤはグループ通信開始（ｉｎｉｔｉａｔｉｏｎ）を実行するためにグループ通信サーバにインターネットプロトコル（ＩＰ）アドレスを登録するためにそのセッションを使用する可能性がある。ある実施形態では、グループ通信サーバ１０２はサービスプロバイダネットワーク１１６を介してサービスプロバイダのパケットデータサービスノード（ＰＤＳＮ）に接続される。ＣＤ１０４と１０６とは、無線インフラストラクチャからのパケットデータセッションを要求するとすぐに、ＰＤＳＮ１１４を通じてグループ通信サーバ１０２とのＩＰ接続性を有することになる。各ＰＤＳＮはパケット制御ファンクション（ＰＣＦ）１０８とネットワーク１１２とを通じて、基地局コントローラ（ＢＳＣ）とインターフェイスする可能性がある。ＰＣＦは基地局（ＢＳ）１１０内のＢＳＣと共に位置する。
【００１１】
パケットデータサービスノードは、例えば、アクティブ状態あるいは接続（ｃｏｎｎｅｃｔｅｄ）状態と、休止状態と、ヌル（ｎｕｌｌ）状態あるいは非アクティブ状態との、いくつかの状態のうちの一つになっている可能性がある。アクティブ状態あるいはコネクテッド状態では、出席しているＣＤとＢＳあるいはＢＳＣとの間にアクティブなトラフィックチャネルが存在し、一方の側がデータを送信している可能性がある。休止状態では、出席しているＣＤとＢＳＣとの間にアクティブなトラフィックチャネルが存在しないが、その出席しているＣＤとＰＤＳＮとの間でポイントツーポイントプロトコル（ＰＰＰ）リンクが維持されている。ヌル状態あるいは非アクティブ状態では、出席しているＣＤとＢＳＣとの間にアクティブなトラフィックチャネルが存在しないし、その出席しているＣＤとＰＤＳＮとの間でＰＰＰリンクは維持されていない。
【００１２】
ＣＤ１０４と１０６とのそれぞれはパケットデータセッションを要求する可能性がある。パケットデータセッションを確立している一部として、各ＣＤはＩＰアドレスが割り当てられている可能性がある。各ＣＤはそのＣＤのＩＰアドレスをグループ通信サーバ１０２通知するために、登録プロセスを実行する可能性がある。登録はユーザデータグラムプロトコル（ＵＤＰ）上でのセッションイニシエイションプロトコル（ＳＩＰ）のような、ＩＰプロトコルを用いて実行される可能性がある。対応するユーザがグループ通信に招待された、あるいはグループ通信を知らされた際に、ＣＤのＩＰアドレスはそのＣＤと交信するために使用される可能性がある。
【００１３】
ひとたびグループ通信が確立されると、ＣＤ１０４と１０６と、グループ通信サーバ１０２とは、メディアとシグナリングメッセージとを交換する可能性がある。ある実施形態では、ＵＤＰ上でのリアルタイムプロトコル（ＲＴＰ）を用いて出席しているＣＤとグループ通信サーバとの間でメディアが交換される可能性がある。シグナリング（ｓｉｇｎａｌｉｎｇ）メッセージもＵＤＰ上でのシグナリングプロトコルを用いて交換される可能性がある。
【００１４】
グループ通信システム１００はグループ通信サービスを動作させるためにいくつかの異なるファンクションを実行する。ユーザ側に関連するファンクションは、ユーザ登録と、グループ通信開始と、グループ出席者へのメッセージの送信と、グループ通信への遅延参加（ｌａｔｅ  ｊｏｉｎ）と、話者調停と、グループへのメンバーの追加と、グループからのメンバーの除去と、メンバーの登録解除と、ユーザ認証とを含む。システム準備とシステム動作とに関するファンクションは管理と準備（ｐｒｏｖｉｓｉｏｎｉｎｇ）とスケーラビリティ（ｓｃａｌａｂｉｌｉｔｙ）と信頼性とを含む。
【００１５】
図２は、ＣＤ２０２と２０４と２０６とがどのようにグループ通信サーバ２０８と相互作用するかということを示すためにグループ通信アレンジメント（ａｒｒａｎｇｅｍｅｎｔ）２００を図解する。複数のグループ通信サーバは大規模グループ向けに望まれるように展開される可能性がある。例えば、データ、音声、画像、及び／あるいは、映像のような通信メディアを１あるいは２以上のＣＤと交換するための通信セッションを開始するために、ユーザはＣＤ２０２、２０４、２０６に希望を入力する可能性がある。ある実施形態では、当該ユーザはＣＤにある“招待”ボタンあるいはＰＴＴボタンを押下することで、メディアの通信を開始する前に、まず対象者（ｔａｒｇｅｔ）のユーザを招待する可能性がある。
【００１６】
図２において、ＣＤ２０２が当該グループの他のメンバーにメディアを送信するパーミッションを持つ際に、ＣＤ２０２は発起人として知られ、確立されたチャネル上でメディアを送信する可能性がある。ＣＤ２０２が発起人として指名された際には、残りの出席者、ＣＤ２０４とＣＤ２０６とはそのグループにメディアを送信することを許される可能性がない。したがって、ＣＤ２０４とＣＤ２０６とは対象者として指名される。上述したように、ＣＤ２０２、２０４、２０６は少なくとも１本のチャネルを用いてグループ通信サーバ２０８と接続されている。１つの実施形態では、チャネル２１０、２１２、２１４は、セッションイニシエイションプロトコル（ＳＩＰ）チャネルとメディアシグナリングチャネルと、メディアトラフィック（ｔｒａｆｆｉｃ）チャネルとを含む可能性がある。
【００１７】
図３は、様々な開示された実施形態を実現できる、基地局あるいは基地局コントローラ（ＢＳ／ＢＳＣ）３０４と通信デバイス３０６とを含んだインフラストラクチャ（ｉｎｆｒａｓｔｒｕｃｔｕｒｅ）の１実施形態の単純化されたブロック図である。ある特定のメディア通信にとって、音声、パケット、データ、及び／あるいは、警報メッセージは空中（ａｉｒ）インターフェイスを経由してＢＳ／ＢＳＣ３０４と通信デバイス３０６との間を交換される可能性がある。基地局と通信デバイスとの間の通信セッションを確立するために用いられるメッセージや、登録（ｒｅｇｉｓｔｒａｔｉｏｎ）メッセージ、ページング（ｐａｇｉｎｇ）メッセージ、及びデータ送信（パワー制御、データ転送速度（ｒａｔｅ）情報、肯定応答、等）を制御するために用いられるメッセージのような、様々なタイプのメッセージが送信される可能性がある。これらのメッセージタイプのうちいくつかを以下で更に詳細に述べる。
【００１８】
逆方向リンクに関し、通信デバイス３０６で、（例えば、データ発生源（ｓｏｕｒｃｅ）３１０からの）音声、及び／あるいはパケットデータと、（例えば、コントローラ３３０からの）メッセージとが、そのデータとメッセージとを１または２以上の符号化方式でフォーマット（ｆｏｒｍａｔ）、符号化（ｅｎｃｏｄｅ）して、符号化されたデータを生成する送信（ＴＸ）データプロセッサ３１２に供給される。各符号化方式は、巡回冗長符号（ＣＲＣ）、畳み込み符号、ターボ符号、他の符号のあらゆる組み合わせを含む、あるいはまったく符号化を含まない可能性がある。音声とパケットデータとメッセージとは異なる符号化方式を用いて符号化される可能性があり、異なる種類のメッセージは異なって符号化される可能性がある。
【００１９】
そして符号化されたデータは変調器（ＭＯＤ）３１４に供給され、更に処理され（例えば、カバーされ（ｃｏｖｅｒｅｄ）、短ＰＮ系列（ｓｈｏｒｔ  ＰＮ  ｓｅｑｕｅｎｃｅ）で拡散され、その通信デバイスに対して割り当てられた長ＰＮ系列でスクランブルされ）る。変調されたデータは送信器ユニット３１６に供給され、逆方向リンク信号を生成するために調整され（例えば、１あるいは２以上のアナログ信号に変換され、増幅され、フィルタ（ｆｉｌｔｅｒ）され、直角変調され）る。その逆方向リンク信号はデュプレクサ（Ｄ）３１８を介してルート（ｒｏｕｔｅ）され、アンテナ３２０を経由して、ＢＳ／ＢＳＣ３０４へ送信される。
【００２０】
ＢＳ／ＢＳＣ３０４において、逆方向リンク信号はアンテナ３５０で受信され、デュプレクサ３５2を介してルートされ、受信器ユニット（ＲＣＶＲ）３５４に供給される。代わりに、そのアンテナが無線オペレーション（ｏｐｅｒａｔｉｏｎ）ネットワークの一部である可能性があり、そのアンテナとＢＳ／ＢＳＣとの間のコネクションがインターネットを通じてルートされる可能性がある。ＢＳ／ＢＳＣ３０４は通信デバイス３０６からメディア情報と警報メッセージとを受信する可能性がある。受信器ユニット３５４は受信した信号を調整し（例えば、フィルタし、増幅し、ダウンコンバートし、デジタル化する）、サンプル（ｓａｍｐｌｅ）を供給する。復調器（ＤＥＭＯＤ）３５６はそのサンプルを受信して、リカバー（ｒｅｃｏｖｅｒ）されたシンボルを供給するために処理（例えば、逆拡散し、カバー解除（ｄｅｃｏｖｅｒ）し、パイロット復調する）する。復調器３５６は複数インスタンスの受信信号を処理し結合されたシンボルを生成するレーキ（ｒａｋｅ）受信器を導入する可能性がある。次に、受信（ＲＸ）データプロセッサ３５８はそのシンボルを逆リンク上で送信されたデータとメッセージとをリカバーするためそのシンボルを復号する。リカバーされたメッセージはコントローラ３７０へ供給される可能性があり、リカバーされた音声／パケットデータはデータシンク３６０に供給される。コントローラ３７０は受信している警報と送信する警報と、及び受信している応答と送信する応答とのための指示を含む可能性がある。復調器３５６とＲＸデータプロセッサ３５８とによる処理は、遠隔アクセスデバイス３０６で実行される処理と相補的（ｃｏｍｐｌｅｍｅｎｔａｒｙ）である。復調器３５６とＲＸデータプロセッサ３５８とは、さらに例えば、逆方向基本チャネル（Ｒ−ＦＣＨ）と逆方向補足チャネル（Ｒ−ＳＣＨ）とのような複数のチャネルを経由して受信された複数の送信を処理するように動作する可能性がある。また、送信は同時に複数の通信デバイスからなされる可能性があり、それぞれは逆方向基本チャネル、逆方向補足チャネル、あるいはこれらの双方で送信される可能性がある。
【００２１】
順方向リンクに関し、ＢＳ／ＢＳＣ３０４で、（例えばデータ発生源３６２からの）音声、及び／あるいはパケットデータと（例えばコントローラ３７０からの）メッセージとは、順方向（ｆｏｒｗａｒｄ）リンク信号を生成するため、送信（ＴＸ）データプロセッサ３６４により処理され（例えば、フォーマット、符号化され）、さらに変調器（ＭＯＤ）３６６により処理され（例えば、カバーされ、拡散され）、送信器ユニット（ＴＭＴＲ）３６８により調整され（例えば、アナログ信号に変換され、増幅され、フィルタされ、直角変調され）る。その順方向リンク信号はデュプレクサ３５２を通じてルートされ、アンテナ３５０を経由して遠隔アクセスデバイス３０６に送信される。順方向リンク信号はページング信号を含む。
【００２２】
通信デバイス３０６では、その順方向リンク信号はアンテナ３２０で受信され、デュプレクサ３１８を通じてルートされ、受信器ユニット３２２に供給される。受信器ユニット３２２は受信した信号を調整し（例えば、ダウンコンバートし、フィルタし、増幅し、直角変調し、デジタル化する）、サンプルを供給する。そのサンプルは、シンボルを供給するために復調器３２４により処理され（例えば、逆拡散され、カバー解除され、パイロット復調され）、さらに順方向リンク上を送信されたデータとメッセージとをリカバーするために、受信データプロセッサ３２６により処理され（例えば、復号され、チェックされ）る。そのリカバーされたデータはデータシンク３２８に供給され、リカバーされたメッセージはコントローラ３３０に供給される。コントローラ３３０は受信している警報と送信する警報と、及び受信している応答と送信する応答と、指定されたユーザグループ内の他のユーザに関する保持しているステータス情報と、更新しているステータス情報とのための指示を含む可能性がある。
【００２３】
ユーザあるいはユーザのグループは、例えばユーザ出席（ｐｒｅｓｅｎｃｅ）情報、ユーザ有効性（ａｖａｉｌａｂｉｌｉｔｙ）情報、及び／あるいはユーザ位置（ｕｓｅｒ−ｌｏｃａｔｉｏｎ）情報のようなユーザ情報を、電話をかけ、通信セッションを確立し、あるいはサーバに負荷をかけることなく、検出しあるいは他のユーザあるいは他のユーザのグループに告知する可能性がある。１実施形態において、各ユーザは、利用可能となる際、例えばそのユーザがオンラインになる、際に、指定されたグループのメンバーに警報する可能性がある。これはサーバベースのソリューションと関係付けられた構成（ｃｏｎｆｉｇｕｒａｔｉｏｎ）問題を除去するであろう。１実施例に従って、ユーザは複数のグループに属すことができるようにグループのリストを形成し、サーバで構成の変更を要求することなくグループを切り替える可能性がある。
【００２４】
１実施形態において、ユーザの出席、及び／あるいは位置の検出は、パワーアップ（ｐｏｗｅｒ  ｕｐ）（Ｈｅｌｌｏ）とシャットダウン（Ｂｙｅ）との際に１対１警報あるいはグループ警報（１対多）を通じて告知される。あるユーザが“Ｂｙｅ”を送信することなく利用不能（ｕｎａｖａｉｌａｂｌｅ）となったか否かを検出する（例えば、パワーロスあるいはサービス区域（ｃｏｖｅｒａｇｅ）ロス）ために、付加的な警報が周期的に送信される可能性がある。
【００２５】
例えば、ユーザが開始した１対多警報を使用する際に、ユーザＡはパワーアップの時、指定されたグループ（例えば、Ａ、ＢとＣ）の残りのメンバーに“ｈｅｌｌｏ”警報を送信する。もし、１対１保証付き配送（ｇｕａｔａｎｔｅｅｄ  ｄｅｌｉｖｅｒｙ）警報が使用された場合、ユーザＡはその警報が首尾よく配達されていれば “Ａｃｋ”警報を受信し、首尾よく配達されていなければ“Ｎａｋ”警報を受信する。もし、ユーザＢからのＡｃｋ警報を受信しユーザＣからのＮａｋ警報を受信した場合、ユーザＡは、ユーザＢがすでにオンラインでありユーザＣはそうではないことを理解する。後に、ユーザＡがオフラインになる際には、ユーザＢとＣとに“Ｂｙｅ”メッセージを送信する。ユーザＢがユーザＡからその“Ｂｙｅ”メッセージを受信した際には、ユーザＢはユーザＡがもはやオンラインでないことを判別する。
【００２６】
図４Ａと図４Ｂとは、１実施形態に従って、出席情報、及び／あるいは、位置情報を告知、及び／あるいは共有するための流れ図を図解する。ユーザＡは、格納された個人、及び／あるいはグループメンバーのリストのディレクトリからメンバーリストを選択し、その選択されたグループに彼あるいは彼女の出席情報、及び／あるいは位置情報を告知するためにＣＤ上のボタン（例えば、ＰＴＴボタン）を押下する可能性がある。ユーザＡはまた、その場限りのグループリストを生成したり、あるいはこの目的のためのデフォルトのグループリストを指定したりすることが可能である。例えば、その指定されたグループは、ユーザＡの“バディリスト（ｂｕｄｄｙ  ｌｉｓｔ）”に示されているように、
ユーザＢ、Ｃ、Ｄを含む可能性がある。
【００２７】
ユーザＡによるアクティベーション（ａｃｔｉｖａｔｉｏｎ）と同時に、ユーザＡのＣＤは、ステップ４０２に示したように、例えば、グループ通信サーバを通じて、対象者ユーザＢ、Ｃ、Ｄにグループ警報を送信する。グループメッセージは例えば、ユーザＡの出席（例えば、“オン”、“オフ”、“アウェイ（ａｗａｙ）”等）と、ユーザＡの位置（例えば、“仕事中”、“会議中”、“食事中”等）と、及び／あるいはユーザＡの有効性（例えば、“忙しい”、“通話中”等）のような情報を含む可能性がある。１実施例において、グループ通信サーバは、ステップ４０４に示したように、指定されたグループ（例えば、Ｂ、Ｃ、Ｄ）内の対象者ユーザのそれぞれに警報を送信する。
【００２８】
警報を受信する指定されたグループの対象者ユーザの各々は、ステップ４０６に示したように、例えばその対象者ユーザのステータス（ｓｔａｔｕｓ）を示す警報であるメッセージで応答する可能性がある。例えば、対象者ユーザＢはユーザＢがオン（ＯＮ）あるいは有効であることを示す“ＡＣＫ”応答で応答し、対象者ユーザＣはユーザＣがオフ（ＯＦＦ）あるいは無効であることを示す“ＮＡＫ”応答で応答し、ユーザＤが“会議中”応答あるいは“空港にいる（ａｔ  ａｉｒｐｏｒｔ）”応答で応答する可能性がある。
【００２９】
１実施形態において、グループ通信サーバはその対象者グループメンバー（例えば、Ｂ、Ｃ、Ｄ）からの応答を受信し、ステップ４０８に示したように、ユーザＡにグループ応答を転送（ｆｏｒｗａｒｄ）する。グループ警報の受信と同時に、ユーザＡは、ユーザＢが“オン”で、ユーザＣが“オフ”で、ユーザＤが“会議中”あるいは“空港にいる”である情報を含むように、彼あるいは彼女のバディリストのステータスを更新する可能性がある。
【００３０】
１実施形態において、対象者ユーザ（例えば、Ｂ、ＣとＤ）の幾人かあるいはすべても彼らのバディリストメンバーのステータス情報を更新する可能性がある。そのような対象者ユーザがステップ４０４においてユーザＡから、ユーザＡがオンである情報を示している警報を受信した際に、そのような対象者ユーザは、もし、ユーザＡがそのような対象者ユーザのバディリストに現れる場合に、ユーザＡがオンである情報を含むように彼らのバディリストを更新する。図４Ａから分かるように、ユーザはプライバシーを守るために、異なる個人専用の（ｐｅｒｓｏｎａｌｉｚｅｄ）バディリストを持つ可能性がある。より良いプライバシーのために、ユーザはブロックしているユーザへの、任意の数の他のユーザからの接触をブロックする可能性がある。そのため、ブロックしているユーザに関する情報が他のブロックされたユーザと共有される可能性がない。
【００３１】
１実施形態において、対象者ユーザの何れかのユーザがステップ４０６においてユーザＡに転送されるべきステータス応答をＧＣＳに送信した際に、ＧＣＳはそれに応じて彼らのバディリストを更新するよう、そのような対象者ユーザの他のユーザにそのような応答を送信する可能性もある。例えば、ユーザＢがステップ４０６においてユーザＢが“オン”であることを示している“ＡＣＫ”応答を送信した際に、ＧＣＳは、もしユーザＢが彼らのバディリストに現れる場合に、彼らのバディリスト内のユーザＢのステータスをオンに更新するために、ユーザＢから受信したＡＣＫ応答を対象者ユーザＣとＤとに送信する可能性がある。図４ＢはユーザＡがステップ４０2でグループ警報を送信した後、ユーザ出席情報、及び／あるいは位置情報の交換の最終状態を示している。
【００３２】
１実施形態において、ユーザはＧＣＳに対し、指定されたユーザあるいはユーザのグループのステータスを判別し、及び／あるいは、グループ通信セッションに出席している現在登録されているグループメンバーを判別するように要求する可能性がある。ステップ５０２に示したように、そのユーザは既存のグループ名を選択、あるいはその場限りのグループを生成し、ＧＣＳにそのグループに関する情報に関する要求を送信する。ＧＣＳは、ステップ５０４に示したように、例えば、指定されたグループがアクティブであるかあるいは非アクティブであるかである、指定されたグループのステータス情報を提供し、ステップ５０６に示したように、登録されたそのグループのメンバーに関する情報を提供し、ステップ５０８に示したように、現在の通信セッションに出席している指定されたグループのメンバーに関する情報を提供し、及び／あるいは、ステップ５１０で示したように、例えば位置情報である、そのグループメンバーに関する情報を提供する可能性がある。
【００３３】
例えば、ユーザＡが７人のメンバー（例えば、Ａ、Ｂ、Ｃ、Ｄ、Ｅ、ＦとＧ）を含むユーザのグループに関する情報を要求した際に、ステップ５０８におけるサーバの応答は、指定されたグループは５人の出席者（例えば、Ａ、Ｂ、Ｃ、ＦとＧ）によってアクティブで、指定されたグループの出席していないメンバーは登録されたか（例えば、ユーザＤ）、登録されていないか（例えば、ユーザＥ）であるという情報を含む可能性がある。
【００３４】
１実施形態において、出席情報、及び／あるいは位置情報は、通信セッションが確立されることなく（例えば、通話することなく）、指定されたグループ間のメンバー間で共有される可能性がある。したがって、グループメンバーに関するより良いプライバシーが提供される。
【００３５】
１実施形態において、出席情報、及び／あるいは位置情報は、グループ通信サーバにグループ構成を負わせることことなく指定されたグループのメンバー間で共有される可能性がある。したがって、サービスプロバイダは彼らの活動度（ａｃｔｉｖｉｔｙ）に基づいて各ユーザの容易な請求（ｂｉｌｌｉｎｇ）の方法を提供する。
【００３６】
当業者は、情報と信号とが多様な異なる技術とプロトコルとのうちの任意のものを用いて表現される可能性があることが理解できよう。例えば、上記の記述を通じて言及された、データと、指示と、コマンド（ｃｏｍｍａｎｄ）と、情報と、信号と、ビットと、シンボルと、チップ（ｃｈｉｐ）とは、電圧、電流、電磁波、磁場あるいは磁性粒子、光学場（ｏｐｔｉｃａｌ  ｆｉｅｌｄ）あるいは光学粒子（ｏｐｔｉｃａｌ  ｐａｒｔｉｃｌｅｓ）、あるいはこれらの任意の組み合わせで表現される可能性がある。
【００３７】
当業者は、さらに、本明細書に開示される実施形態に関連して説明された様々な例示的な論理ブロックと、モジュールと、回路とアルゴリズムステップとは、電子的ハードウェア、コンピュータソフトウェア、あるいはこれらの組み合わせとして実現される可能性があることが理解されよう。ハードウェアとソフトウェアとのこの互換性を明瞭に解説するため、様々な例示的なコンポーネントと、ブロックと、モジュールとステップとを、一般的にそれらの機能性の観点から上述してきた。このような機能性がハードウェアとして実現されるかあるいはソフトウェアとして実現されるかは、特定の応用例とシステム全体に課された設計上の制約とに依存する。熟練工は、各々の特定の応用例について様々な方法で既述された機能性を実現する可能性があるが、そのような実現にあたっての決定は、本発明の範囲からの逸脱をもたらすものと解釈されるべきではない。
【００３８】
本明細書に開示された実施形態と関連して述べた、様々な例示的な論理ブロックとモジュールと回路とは汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、あるいは本明細書に記載された機能を実行するように設計されたこれらのあらゆる組み合わせにより実現され、あるいは実行される可能性がある。汎用プロセッサは、マイクロプロセッサである可能性があるが、別の例では、そのプロセッサは、任意の従来プロセッサ、コントローラ、マイクロコントローラ、あるいは状態機械である可能性がある。また、プロセッサは、計算デバイスの組み合わせ、例えば、ＤＳＰとマイクロプロセッサとの組み合わせ、複数のマイクロプロセッサの組み合わせ、ＤＳＰコアと連動する１あるいは２以上のマイクロプロセッサの組み合わせ、あるいは任意の他のそのような構成として実現される可能性がある。
【００３９】
本明細書において開示された実施形態と関連して記載された方法あるいはアルゴリズムのステップは、直接にハードウェアでプロセッサにより実行されるソフトウェアモジュールで、あるいはそれら２つの組み合わせで具体化される可能性がある。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当技術分野で公知な任意の他の記憶媒体の形態の中に記録されている可能性がある。例示の記憶媒体は、プロセッサがその記憶媒体から情報を読み出したり、その記憶媒体へ情報を書き込んだりするように、プロセッサと結合される。別の例では、記憶媒体はそのプロセッサと一体である可能性がある。そのプロセッサとその記憶媒体とがあるＡＳＩＣ内に記録される可能性がある。そのＡＳＩＣがユーザ端末の中に記録される可能性がある。別の例では、そのプロセッサとその記憶媒体とがそのユーザ端末内で別個のコンポーネントとして記録される可能性がある。
【００４０】
開示した実施形態の記載はいかなる当業者でも本発明を構成あるいは利用できるように提供される。これらの実施形態に対する様々な変形例は、当業者にとっては容易に明らかであり、本明細書で定義された一般的な原理は、本発明の精神と範囲とから逸脱することなく、他の実施形態、例えば、インスタントメッセージングサービスあるいはあらゆる無線データ通信アプリケーションに適用可能である。したがって、本発明は、本明細書で示した実施形態に限定されることを意図したものではなく、本明細書に開示した原理と新規な特徴と合致する最も広い範囲と一致すべきものである。「例示の」という言葉は、本明細書ではもっぱら「例、実例、あるいは例証として役目を果たすこと」を意味するものとして使用される。「例示」として本明細書で記載したあらゆる実施形態は、必ずしも他の実施形態を超えて好ましいものあるいは都合の良いものとして構成されている訳ではない。
【図面の簡単な説明】
【００４１】
【図１】グループ通信システムを図解する。
【図２】いくつかの通信デバイスがどのようにグループ通信サーバと相互作用するかについて図解する。
【図３】様々な開示された実施態様を実現するための基盤に関する１実施態様を図解する。
【図４Ａ】出席情報、及び／あるいは、位置情報を検出、及び／あるいは告知するための流れ図を図解する。
【図４Ｂ】出席情報、及び／あるいは、位置情報を検出、及び／あるいは告知するための流れ図を図解する。
【図５】ユーザのグループに関するステータス情報を判別するための流れ図を図解する。
【符号の説明】
【００４２】
１０２、２０８…グループ通信サーバ（ＧＣＳ）、１１０…基地局、１１６…サービスプロバイダ広域ネットワーク、２０２、２０４、２０６…ＣＤ、２１２、２１４、２１６…グループ通信シグナリングトラフィック及びグループ通信メディアトラフィック、３１０、３６２…データ発生源、３１２、３６４…送信（ＴＸ）データプロセッサ、３１４、３６６…変調器（ＭＯＤ）、３１６、３６８…送信器ユニット（ＴＭＴＲ）、３１８、３５２…デュプレクサ（Ｄ）、３２２、３５４…受信器ユニット（ＲＣＶＲ）、３２４、３５６…復調器（ＤＥＭＯＤ）、３２６、３５８…受信（ＲＸ）データプロセッサ、３２８、３６０…データシンク、３３０、３７０…コントローラ
【図１】
2007525112.tif 000003
【図２】
2007525112.tif 000004
【図３】
2007525112.tif 000005
【図４Ａ】
2007525112.tif 000006
【図４Ｂ】
2007525112.tif 000007
【図５】
2007525112.tif 000008
【手続補正書】
【提出日】平成18年10月6日(2006.10.6)
【手続補正１】
【補正対象書類名】特許請求の範囲
【補正対象項目名】請求項２０
【補正方法】変更
【補正の内容】
【請求項２０】
前記送信することは対象者のグループにグループ警報を送信することを含み、前記受信することは前記対象者のグループから情報を受信することを含み、前記更新することは前記対象者のグループに関する情報を更新することを含む、請求項１９に記載の装置。
【手続補正２】
【補正対象書類名】特許請求の範囲
【補正対象項目名】請求項３９
【補正方法】変更
【補正の内容】
【請求項３９】
前記要求するための手段は、対象者ユーザのグループに関する情報を要求するための手段を含み、前記受信するための手段は、前記対象者ユーザに関する位置情報を受信するための手段を含む、請求項３５に記載の装置。
【手続補正３】
【補正対象書類名】図面
【補正対象項目名】図１
【補正方法】変更
【補正の内容】
【図１】
2007525112.tif 000009
【手続補正４】
【補正対象書類名】図面
【補正対象項目名】図２
【補正方法】変更
【補正の内容】
【図２】
2007525112.tif 000010
【手続補正５】
【補正対象書類名】図面
【補正対象項目名】図４Ａ
【補正方法】変更
【補正の内容】
【図４Ａ】
2007525112.tif 000011
【国際調査報告】
2007525112.tif 000012